【手続補正書】
【提出日】平成19年9月27日(2007.9.27)
【手続補正１】
【補正対象書類名】特許請求の範囲
【補正対象項目名】全文
【補正方法】変更
【補正の内容】
【特許請求の範囲】
【請求項１】
コンテンツをコンテンツ配信装置からネットワーク経由で取得するコンテンツ取得手段と、前記コンテンツ取得手段で取得されたコンテンツに対して、コンテンツ受信装置が前記コンテンツ配信装置からネットワーク経由でコンテンツを取得するためのアドレス情報を付加するコンテンツ加工手段と、前記コンテンツ取得手段で取得され前記コンテンツ加工手段で加工されたコンテンツを前記コンテンツ受信装置へ転送するコンテンツ転送手段とを備える通信装置から転送されたコンテンツを受信するコンテンツ受信手段と、
前記コンテンツ受信手段でコンテンツが受信されると、受信されたコンテンツに基づいてコンテンツ再生を行うコンテンツ再生手段とを備え、
前記コンテンツ再生手段は、
受信されたコンテンツに前記アドレス情報が付加されていれば、前記アドレス情報を抽出し、前記アドレス情報に基づいて自動的にコンテンツ配信装置からネットワーク経由でコンテンツを取得する第１の取得手段を含むことを特徴とするコンテンツ受信装置。
【請求項２】
コンテンツをコンテンツ配信装置からネットワーク経由で取得するコンテンツ取得手段と、前記コンテンツ取得手段で取得されたコンテンツに対して、コンテンツ受信装置が前記コンテンツ配信装置からネットワーク経由でコンテンツを取得するためのアドレス情報を付加するコンテンツ加工手段と、前記コンテンツ取得手段で取得され前記コンテンツ加工手段で加工されたコンテンツを前記コンテンツ受信装置へ転送するコンテンツ転送手段とを備える通信装置から転送されたコンテンツを受信するコンテンツ受信手段と、
前記コンテンツ受信手段でコンテンツが受信されると、受信されたコンテンツに基づいてコンテンツ再生を行うコンテンツ再生手段とを備え、
前記コンテンツ再生手段は、
受信されたコンテンツに前記アドレス情報が付加されていれば、前記アドレス情報を抽出し、前記コンテンツ配信装置からネットワーク経由でコンテンツを取得するか否かをユーザに問い合わせ、コンテンツ配信装置からネットワーク経由でコンテンツを取得することがユーザから要求された場合に、前記アドレス情報に基づいてコンテンツ配信装置からネットワーク経由でコンテンツを取得する第２の取得手段を含むことを特徴とするコンテンツ受信装置。
【請求項３】
コンテンツをコンテンツ配信装置からネットワーク経由で取得するコンテンツ取得手段と、コンテンツ受信装置が元のコンテンツによって指定された形態でコンテンツ再生を行うことができるように、前記コンテンツ取得手段で取得されたコンテンツを、該コンテンツのフォーマットと異なり、かつコンテンツ受信装置で再生可能なフォーマットのコンテンツに変換するフォーマット変換手段と、前記コンテンツ取得手段で取得されたフォーマット変換前のコンテンツと前記フォーマット変換手段により得られたコンテンツとの両方、あるいは同一のコンテンツを前記フォーマット変換手段でフォーマット変換することにより得られたフォーマットの異なる複数のコンテンツをコンテンツ受信装置へ転送するコンテンツ転送手段とを備える通信装置から転送されたコンテンツを受信するコンテンツ受信手段と、
前記コンテンツ受信手段でコンテンツが受信されると、受信されたコンテンツに基づいてコンテンツ再生を行うコンテンツ再生手段とを備え、
前記コンテンツ再生手段は、前記コンテンツ受信手段にて前記通信装置から、フォーマットが異なる複数のコンテンツが受信された場合に、それらコンテンツの中から再生に最も適したフォーマットのコンテンツを選択して再生することを特徴とするコンテンツ受信装置。
【請求項４】
前記コンテンツ再生手段は、コンテンツがコンテンツ受信手段で受信されたときに他のフォーマットのコンテンツがコンテンツ受信手段で受信されるのを待つことなく再生を開始し、その後、他のフォーマットのコンテンツがコンテンツ受信手段で受信される度に、受信したコンテンツと再生中のコンテンツとの何れがより再生に適したフォーマットであるかを判定し、より再生に適したフォーマットであると判定されたコンテンツを再生することを特徴とする請求項３記載のコンテンツ受信装置。
【請求項５】
コンテンツをコンテンツ配信装置からネットワーク経由で取得するコンテンツ取得手段と、コンテンツ受信装置が元のコンテンツによって指定された形態でコンテンツ再生を行うことができるように、前記コンテンツ取得手段で取得されたコンテンツを加工するコンテンツ加工手段と、前記コンテンツ取得手段で取得され前記コンテンツ加工手段で加工されたコンテンツを前記コンテンツ受信装置へ転送するコンテンツ転送手段とを備える通信装置から転送されたコンテンツを受信するコンテンツ受信手段と、
前記コンテンツ受信手段でコンテンツが受信されると、受信されたコンテンツに基づいてコンテンツ再生を行うコンテンツ再生手段とを備えることを特徴とするコンテンツ受信装置。
【請求項６】
コンテンツを表示する表示手段を含むコンテンツ再生手段を備える表示装置であることを特徴とする請求項１、２、３、および５のいずれか１項に記載のコンテンツ受信装置。
【請求項７】
コンテンツを印刷する印刷手段を含むコンテンツ再生手段を備えるプリンタであることを特徴とする請求項１、２、３、および５のいずれか１項に記載のコンテンツ受信装置。
【請求項８】
通信ネットワークを介してコンテンツを取得するコンテンツ取得手段と、コンテンツをコンテンツ受信装置へ転送するコンテンツ転送手段とを備える通信装置において、コンテンツを加工してコンテンツ転送手段に送る処理をコンピュータに実行させるためのコンテンツ転送プログラムであって、
コンテンツ受信装置が元のコンテンツによって指定された形態でコンテンツ再生を行うことができるように、前記コンテンツ取得手段で取得されたコンテンツを加工するコンテンツ加工手段、および
前記コンテンツ取得手段で取得され前記コンテンツ加工手段で加工されたコンテンツを、前記コンテンツ受信装置へ転送するデータとしてコンテンツ転送手段に送るデータ転送手段としてコンピュータを機能させるためのコンテンツ転送プログラム。
【請求項９】
請求項８記載のコンテンツ転送プログラムを記録した、コンピュータ読み取り可能な記録媒体。
【請求項１０】
コンテンツをコンテンツ配信装置からネットワーク経由で取得するコンテンツ取得手段と、
コンテンツ受信装置が元のコンテンツによって指定された形態でコンテンツ再生を行うことができるように、前記コンテンツ取得手段で取得されたコンテンツを加工するコンテンツ加工手段と、
前記コンテンツ取得手段で取得され前記コンテンツ加工手段で加工されたコンテンツを前記コンテンツ受信装置へ転送するコンテンツ転送手段とを備えることを特徴とする通信装置。
【請求項１１】
前記コンテンツ加工手段は、前記コンテンツ取得手段で取得されたコンテンツに対して、前記コンテンツ受信装置が前記コンテンツ配信装置からネットワーク経由でコンテンツを取得するためのアドレス情報を付加するものであることを特徴とする請求項１０に記載の通信装置。
【請求項１２】
前記コンテンツ加工手段は、前記コンテンツ取得手段で取得されたコンテンツを、前記コンテンツ受信装置が前記配信装置からネットワーク経由でコンテンツを取得するためのアドレス情報に変換するものであることを特徴とする請求項１０に記載の通信装置。
【請求項１３】
前記コンテンツ転送手段は、片方向通信によってコンテンツを転送するものであることを特徴とする請求項１０に記載の通信装置。
【請求項１４】
携帯電話機であることを特徴とする請求項１０〜１３のいずれか１項に記載の通信装置。
【請求項１５】
前記コンテンツ加工手段は、
前記コンテンツ取得手段で取得されたコンテンツを、該コンテンツのフォーマットと異なり、かつコンテンツ受信装置で再生可能なフォーマットのコンテンツに変換するフォーマット変換手段を含むことを特徴とする請求項１０、１１、および１３のいずれか１項に記載の通信装置。
【請求項１６】
前記コンテンツ取得手段で取得されたフォーマット変換前のコンテンツをコンテンツ受信装置へ転送するか、前記フォーマット変換手段により得られたコンテンツをコンテンツ受信装置へ転送するか、前記コンテンツ取得手段で取得されたフォーマット変換前のコンテンツと前記フォーマット変換手段により得られたコンテンツとの両方をコンテンツ受信装置へ転送するかを選択する選択手段をさらに備えることを特徴とする請求項１５に記載の通信装置。
【請求項１７】
前記コンテンツ取得手段は、ネットワーク上の配信装置が配信可能な被参照コンテンツへのリンクを含むリンク含有コンテンツを前記コンテンツとして取得するものであり、
前記コンテンツ加工手段は、前記コンテンツ取得手段にて取得されたコンテンツが、ネットワーク上の配信装置が配信可能な被参照コンテンツへのリンクを含むリンク含有コンテンツであり、かつ、リンクの参照先が相対アドレスで記述されている場合に、相対アドレスに対応する基底アドレスを追加するか、あるいは相対アドレスを絶対アドレスで置き換えるものであることを特徴とする請求項１０に記載の通信装置。
【請求項１８】
前記コンテンツ加工手段は、前記コンテンツ取得手段にて取得されたコンテンツが、基本コンテンツと基本コンテンツ内に埋め込んで再生されるインラインコンテンツのアドレスとを含む複合コンテンツであり、かつ、インラインコンテンツのアドレスが相対アドレスで記述されている場合に、相対アドレスに対応する基底アドレスを追加するか、あるいは相対アドレスを絶対アドレスで置き換えるものであることを特徴とする請求項１０に記載の通信装置。
【請求項１９】
前記コンテンツ加工手段は、
前記コンテンツ取得手段で取得されたコンテンツを再生するための再生データを作成する再生データ作成手段と、
再生データを、再生データのフォーマットと異なり、かつコンテンツ受信装置で再生可能なフォーマットのコンテンツに変換するフォーマット変換手段とを含むことを特徴とする請求項１０記載の通信装置。
【請求項２０】
前記再生データ作成手段は、前記コンテンツを表示装置で表示させるための表示画像データを前記再生データとして作成する表示画像作成手段であり、
前記フォーマット変換手段は、表示画像作成手段で作成された表示画像データの少なくとも一部を圧縮することで、コンテンツ受信装置で再生可能なフォーマットのコンテンツを作成する画像変換手段を含むことを特徴とする請求項１９に記載の通信装置。
【請求項２１】
前記フォーマット変換手段は、前記コンテンツ取得手段で取得されたコンテンツの少なくとも一部を音声化する音声変換手段であることを特徴とする請求項１５に記載の通信装置。
ことを特徴とする請求項１５に記載の通信装置。
【請求項２２】
前記コンテンツ転送手段は、前記コンテンツ取得手段で取得されたフォーマット変換前のコンテンツと前記フォーマット変換手段により得られたコンテンツとの両方、あるいは同一のコンテンツを前記フォーマット変換手段でフォーマット変換することにより得られたフォーマットの異なる複数のコンテンツをコンテンツ受信装置へ転送するものであることを特徴とする請求項１５に記載の通信装置。
【請求項２３】
前記フォーマット変換手段は、前記コンテンツに一部として含まれる特定の種類の情報を抽出し、抽出された特定の種類の情報を、前記コンテンツと異なるフォーマットであり、かつコンテンツ受信装置で再生可能なフォーマットのコンテンツに変換するものであることを特徴とする請求項１５に記載の通信装置。
【請求項２４】
前記コンテンツ加工手段は、前記コンテンツ取得手段で複数のコンテンツが取得された場合に、これら複数のコンテンツを統合するものであることを特徴とする請求項１０に記載の通信装置。